(57)【要約】【課題】シンプルで合理的な構造により、液体容器の尻漏れや液だれを完全に無くし、かつ液体の流出方向が安定し、注ぐ量の多少に関わらず快適な注ぎ方ができる液体容器を得ることを目的とする。【解決手段】液体容器の注ぎ口（２）は、その付け根付近のヒンジ（４）によって可動するフタ（３）を有する。フタ（３）は注ぎ口（２）の上部形状に沿って形成され、注ぎ口の先端部で僅かに隙間（５）を開けながら、注ぎ口先端より張り出て、水平か又はそれより下がる断面形状（a）となる。これにより、注ぐ液体がフタ側を通って流れることになる。最後の雫もフタ先端部から落ちるかフタ側に残るかのどちらかとなり、注ぎ口側からの尻漏れは発生しない。さらに、フタの先端の方向に水流が規制されることで注ぐ方向は安定し口径の小さい容器でもこぼさず注ぐことができる。また、フタ（３）が水勢に応じて可動し、注ぐ量の多少に関わらずスムーズな注ぎが実現する。【選択図】図２
2018075123.tif 000002
【特許請求の範囲】
【請求項１】
内部に液体を収納され上端に開口部を有する液体容器本体（１）と、上記開口部又は上記液体容器本体（１）上部に設けられた注ぎ口（２）と、上記注ぎ口（２）の起点部（ｂ）のヒンジ（４）を中心として上下に開閉する注ぎ口用フタ（３）を備える液体容器で、上記注ぎ口用フタ（３）は水平な床に上記液体容器の底面を接して置いた状態において最も閉じた状態となり、この注ぎ口用フタ（３）の閉じた状態においても注ぎ口の先端部との間には僅かな隙間（５）があり、注ぎ口用フタ（３）の先端部は注ぎ口（２）の先端より下がりながら張り出た（a）形態を有することを特徴とする液体容器。
【請求項２】
前記請求項１に記載の注ぎ口用フタ（３）は液体を注ぐ際の水圧により開閉し、前項記載の最も閉じた状態において注ぎ口先端部ではフタの間に隙間（1mm〜3mm）があり、さらにその状態時に前記フタ（３）の先端部は注ぎ口（２）先端部より水平位置以下（a）にあり、注ぎ口（２）先端部より注ぎ口用フタ（３）先端部の方は直線距離で３mm以上注ぎ口用フタ（３）先端方向に長いことを特徴とする液体容器。
【発明の詳細な説明】
【技術分野】
【０００１】
本発明は液体容器の注ぎ口からの流出方向の安定化と尻漏れ及び液だれ防止に関する。
【背景技術】
【０００２】
従来の技術として特許文献１があった。即ち、液体調味料容器の抽出ノズルの先端にガイドを設け、このガイドにより液体調味料の流出方向の安定化を計るものである。（特許文献１参照）
【０００３】
一方、注ぎ口から汚れの進入防止のため、注ぎ口に可動するフタを付けたものがある。（非特許文献１）
【先行技術文献】
【特許文献】
【０００４】
【特許文献１】特開平２０１０-１４２４０１  広報
【０００５】
【非特許文献１】ティファール  電気ケトル1478568340695_0
【発明の概要】
【発明が解決しようとする課題】
【０００６】
従来の液体容器は、注ぎ口を鋭角にする又は注ぎ口の先端部を玉渕にして尻漏れが起きにくくしているものが一般的であり、これらはいわゆる行ってこい方式で水位や流量、また前記液体容器の傾きによっては液体の注ぐ方向が変化しやすく、ペットボトルのような小さめの口径の容器に液体をこぼさず入れることは難しい。またコーヒーをドリッパーで淹れるために湯を数回に分けて狙った位置に適量を意志通りに注ぐことには不向きである。
【０００７】
また、注ぎ方次第では完全には尻漏れや液だれを防止できず、パンドラー効果により液体が注ぎ口を伝って外に漏れ、容器本体外装やテーブルやテーブルクロスを濡らしてしまう。
【０００８】
さらに、（参考文献１）にあるような醤油差し用の固定のキャップのものでは、サイズの大きな液体容器の場合注ぎ口の開口部もそれなりに大きくなり、注ぐことはできても注ぎ終わり時や少量の注ぎの場合の尻漏れには従来型と同様に対応が難しく、さらに液体の注ぐ量の多少への対応も疑問となる。
【０００９】
一方、注ぎ口から容器本体への汚れ進入防止のために注ぎ口に可動するフタを付けたもの（非特許文献１）があるが、このタイプは注ぎ口内にフタが納まる形態となっており、注ぎ終わり時には前記フタがあるためスムーズな水流の妨げとなり、水切りがうまくできずフタが無いものより尻漏れを起こしやすい要因となっている。つまり、前記フタは、汚れ侵入防止のためのものであり、注ぎ方向安定や尻漏れ防止に寄与するものでは無いと考えられる。
【００１０】
本発明は、このような従来のケトル及び水差し等の液体容器が有していた問題を解決するためのものであり、より注ぎ方を安定化し、尻漏れを防止する液体容器を提供することを目的とするものである。
【課題を解決するための手段】
【００１１】
そして、本発明は上記目的を達成するために液体容器の注ぎ口（２）の起点部（ｂ）のヒンジ（４）を中心に開閉する注ぎ口用フタ（３）を有する。
前記フタ（３）は容器本体を水平な床に底面を接して置いたとき最も閉じた状態となり、注ぎ口の先端部で僅かに隙間（５）を開けながら注ぎ口先端より張り出て水平か又はそれより下がる断面形状（a）となる。
【００１２】
前記注ぎ口用フタ（３）は液体の抽出時の水圧によって開閉される。
【００１３】
前記注ぎ口用フタ（３）と注ぎ口（２）先端部の間の僅かな隙間（５）とは、具体的には１mm〜３mmであること。
【００１４】
また前記注ぎ口用フタ（３）下端部から注ぎ口（２）先端部までの直線距離（６）は３mm以上あることが望ましい。
【発明の効果】
【００１５】
本発明の液体容器用の開閉するフタ付（３）き注ぎ口（２）は、注ぎ口からの流出方向の安定と、尻漏れ及び液だれを防止することができ、注ぐことが快適な液体容器を実現できる。
【発明を実施するための形態】
【００１６】
以下、本発明の実施形態を図１〜図３に基づいて説明する。
【００１７】
図においては、容器本体（１）開口部から出る注ぎ口（２）に注ぎ口用フタがヒンジ（４）を中心に開閉する構造であり、その注ぎ口用フタ（３）は水平な床に容器本体（１）の底面を接して置いたときに最も閉じた状態となるが、その折り注ぎ口の先端部との間には僅かな隙間（５）があり、且つ注ぎ口用フタ（３）の先端部は注ぎ口の先端より下がりながら張り出た（a）形態となる。
【００１８】
前記注ぎ口用フタ（３）の先端が注ぎ口（２）先端より出てかつ水平以下の位置であるため、抽出時にはパンドラー効果によりその注ぎ口用フタ（３）の内側に沿って液体が流れ落ちるため、本体の傾きに関わらず常に注ぎ口用フタ（３）先端部の軸線上の方向に水流が誘引されることにより方向が安定する。
【００１９】
さらに、前記注ぎ口用フタ（３）がヒンジ（４）を中心に開閉する構造により、液体の流量や勢いに応じて開口部が開き、円滑に液体を注ぐことができる。
【００２０】
注ぎ終わり時には前記注ぎ口用フタ（３）が閉じて、その先端が注ぎ口先端部より水平以下でなおかつ僅かな隙間（５）があるため、最後の水滴においても注ぎ口用フタ（３）の内側に沿ってその先端部へ流れ、前記フタ（３）の先端部から落ちるか又は前記隙間（５）部に留まるかのどちらかとなる。従って注ぎ口（２）の形状に沿って外側に流れ落ちる尻漏れや液だれは発生しない。
【００２１】
前記注ぎ口用フタ（３）の効果を確実にするために様々な試行錯誤を行ったが、その結果注ぎ口用フタ（３）と注ぎ口先端部の隙間（５）が1mmより小さい場合では、注ぎ口外側が液で濡れているなど条件の悪い時には水の流れは注ぎ口側により誘引されやすくなり、完全には尻漏れや液だれを防止できない。また、前記隙間が3mmより大きい場合には、水流が小さくなると水流が注ぎ口用フタ側から離れ注ぎ口側に誘引されやすくなり、従来の注ぎ口と変わらない状態となり、注ぎ口外側が液で濡れているなど条件の悪い時には尻漏れや液だれが発生することが確認された。
【００２２】
前記注ぎ口用フタ（３）先端部と注ぎ口（２）先端との直線距離（６）においては、3mm未満では水流が弱くなった場合に注ぎ口側に誘引されやすく尻漏れが発生してしまうことが確認出来た。従って前記直線距離は３mm以上あることが望ましい。
【００２３】
前記注ぎ口の形態の奥行き方向の長さ（本体から注ぎ口先端までの距離）において、注ぎ口の長さが短い場合流出の勢いが小さくなり注ぎは不安定さが増す。さらに尻漏れも水勢が弱くなると発生しやすくなる。このため、まず全く注ぎ口の無い容器（コップ状のもの）で検証を行ったが効果は無かった。次にビーカー様のもの（長さ約５mm）で検証を行ったところ、機能することが分かった。結果、少しでも注ぎ口がついているものであれば効果ありと想定されるが、数値としては注ぎ口の長さ最小５mmとする。
【００２４】
前記注ぎ口の上面視の形態において、基本的には対象となる容器の注ぎ口の形に沿い、さらにその張り出した形態となるが、具体的には図１のような放物線型、図４のような半円形、または図６のような三角形が基本となり、いずれも先端にいくにしたがって細くなる形態となる。
【００２５】
前記注ぎ口用フタの厚みにおいて、検証用には0.5mm厚のアルミ材を用いて基本的条件の特定を行った。従って材質によっては0.5mm以上あれば問題は無いと推察される。
最適値上限は水圧によって注ぎ口用フタが軽く動くことが必要なため、素材と重量の関係で規定されなければならないが、形態的な観点から常識的には５mm以内が望ましい。また、注ぎ口用フタの厚みは、どの部分においても所定厚みとした例を説明しているが、部分的に厚みを変えたとしても本発明を構成できる。
【００２６】
前記注ぎ口用フタの応用例として図１の横断面形状（B-B’）において、図１は直線であるがが、図１０や図１１のような変化をつけることで、水の流れる形状が整い、より安定的な注ぎが得られることも確認できた。したがって前記注ぎ口用フタ（３）の正面視断面形状に左右端が中心部より下方となる正面視山形（図１０）のカーブをつけても、あるいは正面視屈曲（図１１）させても良い。
【００２７】
本案件は水を収納する容器を想定して起案したものであるが、粘性の高い液体（オイル系や液体洗剤系）でも水と同様の確認を行い、請求項記載の条件下で同様な結果が得られることが確認出来、本案件の請求項にある基本的条件を確定した。また前記基本的条件は容器本体の大きさが変化しても変わることは無い。
【００２８】
結果、前記条件の総合効果により、尻漏れを気にすることなく、かつ水位や水量や本体の傾きにかかわらず注ぎ方向が安定し、かつ流量を微妙に調節することが尻漏れを気にすること無く可能となり、一気に注ぐことはもちろん、コーヒードリッパーで思い通りに淹れることや、口径の小さいものにもこぼさず液体を注ぐことができ、布巾などを用意しテーブルのこぼれた液体を拭き取ったり、テーブルクロスを汚して洗い直したり、ケトルの場合は一旦湧かした湯を別の温めたティーポットに移してサービスしたり、専用のコーヒー抽出用ポットを別途用意したりといったことから解放される。また、容器本体の外装が液だれで汚れることも無いので、液だれを拭き取ることからも解放される。
【００２９】
また、本案件の特徴の１つであるシンプルで合理的な構造により、請求項の要件を満たしさえすれば、注ぎ口の形態に応じて注ぎ口用フタのデザインも柔軟に対応できる。ヒンジの形態も（図１〜３）の形態でなく、その他の形態でも良い。ここではその一例として（図４〜９）を記載する。
【００３０】
さらに、図１０・図１１は前項（0026）記載の応用形態としての正視断面形状を示すものである。
【図面の簡単な説明】
【００３１】
【図１】本発明による液体容器上面図
【図２】本発明による液体容器側面図／A-A’線部分断面図
【図３】本発明による液体容器の注ぎ口部分正面図
【図４】他の実施例を示す注ぎ口部分上面図（ヒンジの他の形式）（注ぎ口フタの形）
【図５】他の実施例を示す注ぎ口部分側面A-A’線断面図（ヒンジの他の形式）
【図６】他の実施例を示す注ぎ口部分上面図（本体蓋と注ぎ口用フタが一体化したもの）（ヒンジの他の形式）（注ぎ口フタの形）
【図７】他の実施例を示す注ぎ口部分側面A-A’線断面図（本体蓋と注ぎ口フタが一体化したもの）（ヒンジの他の形式）
【図８】他の実施例を示す注ぎ口部分上面図（蓋のない水差し様のもの）（注ぎ口フタの形）
【図９】他の実施例を示す注ぎ口部分側面A-A’線断面図（蓋のない水差し様のもの）
【図１０】他の実施例を示す注ぎ口用フタの横断面B-B’（図１による）
【図１１】他の実施例を示す注ぎ口用フタの横断面B-B’（図１による）
【符号の説明】
【００３２】
１  液体容器本体
２  注ぎ口
３  注ぎ口用フタ
４  ヒンジ回転中心部
５  注ぎ口用フタと注ぎ口の隙間
６  注ぎ口用フタ先端と注ぎ口先端の距離
７  注ぎ口用フタの可動状況説明図
８  図６・図７の本体の注ぎ口用フタ一体型蓋
a  注ぎ口先端部
b  ヒンジ部
【図１】
2018075123.tif 000003
【図２】
2018075123.tif 000004
【図３】
2018075123.tif 000005
【図４】
2018075123.tif 000006
【図５】
2018075123.tif 000007
【図６】
2018075123.tif 000008
【図７】
2018075123.tif 000009
【図８】
2018075123.tif 000010
【図９】
2018075123.tif 000011
【図１０】
2018075123.tif 000012
【図１１】
2018075123.tif 000013